(57)【要約】【課題】撮像装置の仕様に適合した画像データを、外部機器に生成させる。【解決手段】撮像装置は、被写体を撮像して第１の撮像画像データを出力する撮像部と、前記第１の撮像画像データに基づいた画像を、所定の表示能力で表示する表示部と、前記第１の撮像画像データと、前記表示能力を含む前記表示部の仕様に関する仕様データとを、外部機器へ送信する通信部と、を備えている。【選択図】図１
2014158102.tif 000002
【特許請求の範囲】
【請求項１】
被写体を撮像して第１の撮像画像データを出力する撮像部と、
前記第１の撮像画像データに基づいた画像を、所定の表示能力で表示する表示部と、
前記第１の撮像画像データと、前記表示能力を含む前記表示部の仕様に関する仕様データとを、外部機器へ送信する通信部と、
を備えることを特徴とする撮像装置。
【請求項２】
請求項１に記載の撮像装置において、
前記通信部は、前記第１の撮像画像データに付随する付随データを、前記外部機器に送信することを特徴とする撮像装置。
【請求項３】
請求項１または２に記載の撮像装置において、
前記通信部は、画像処理に関するリクエスト情報を、前記外部機器に送信することを特徴とする撮像装置。
【請求項４】
請求項１から３のいずれか一項に記載の撮像装置において、
前記通信部が前記第１の撮像画像データを送信した後に、当該第１の撮像画像データを削除する削除部を備えることを特徴とする撮像装置。
【請求項５】
請求項１から４のいずれか一項に記載の撮像装置において、
前記表示部が複数の表示画面を有しているときに、
前記通信部は、前記複数の表示画面のうち前記表示能力の高い表示画面の仕様を前記外部機器に送信することを特徴とする撮像装置。
【請求項６】
被写体を撮像した撮像画像データを入力する入力部と、
前記撮像画像データを出力する外部出力装置の仕様と、前記撮像画像データとに基づいて、画像処理を行う画像処理部と、
を備えることを特徴とする画像処理装置。
【請求項７】
請求項６に記載の画像処理装置において、
前記画像処理部により画像処理された前記撮像画像データを前記外部出力装置に送信する送信部を備えることを特徴とする画像処理装置。
【請求項８】
請求項６または７に記載の画像処理装置において、
前記入力部は、前記画像処理部が行う画像処理に関するリクエスト情報を入力することを特徴とする画像処理装置。
【請求項９】
請求項８に記載の画像処理装置において、
前記外部出力装置は、前記被写体を撮像して前記撮像画像データを生成する撮像部と、表示部とを具備する撮像装置を少なくとも含み、
前記入力部は、前記撮像装置から、前記撮像画像データと、前記表示部の総画素数を少なくとも含む前記仕様データと、前記リクエスト情報とを取得し、
前記画像処理部は、前記リクエスト情報と前記仕様データに応じた画像処理を、前記撮像画像データに対して行い、
前記送信部は、前記リクエスト情報と前記仕様データとに応じた画像処理を行った後の前記撮像画像データを、前記撮像装置に送信することを特徴とする画像処理装置。
【発明の詳細な説明】
【技術分野】
【０００１】
本発明は、撮像装置および画像処理装置に関する。
【背景技術】
【０００２】
撮像装置とサーバとを備え、撮像装置が出力したＲＡＷ画像データを、サーバで画像処理するシステムが知られている（特許文献１）。特許文献１のシステムでは、撮像装置がＲＡＷ画像データを出力して、そのＲＡＷ画像データをサーバへ送信して、サーバがそのＲＡＷ画像データに対して画像処理を行って、サーバが画像処理後の画像データを撮像装置に送信する。
【先行技術文献】
【特許文献】
【０００３】
【特許文献１】特開２０１２−９５３５１号公報
【発明の概要】
【発明が解決しようとする課題】
【０００４】
従来の方法では、撮像装置からＲＡＷ画像データを受信したサーバなどの外部機器が、撮像装置の仕様に適合しない画像データを生成する虞がある。
【課題を解決するための手段】
【０００５】
本発明の一態様による撮像装置は、被写体を撮像して第１の撮像画像データを出力する撮像部と、第１の撮像画像データに基づいた画像を、所定の表示能力で表示する表示部と、第１の撮像画像データと、表示能力を含む表示部の仕様に関する仕様データとを、外部機器へ送信する通信部と、を備えることを特徴とする。
本発明の別の一態様による画像処理装置は、被写体を撮像した撮像画像データを入力する入力部と、撮像画像データを出力する外部出力装置の仕様と、撮像画像データとに基づいて、画像処理を行う画像処理部と、を備えることを特徴とする。
【発明の効果】
【０００６】
本発明によれば、撮像装置の仕様に適合した画像データを、外部機器に生成させることができる。
【図面の簡単な説明】
【０００７】
【図１】画像処理システムのブロック図である。
【図２】画像の縮小処理の説明に用いる図である。
【図３】画像処理システムの動作シーケンス図の一例である。
【図４】画像処理システムの動作シーケンス図の一例である。
【発明を実施するための形態】
【０００８】
図１は、画像処理システム１００のブロック構成図である。画像処理システム１００は、サーバ１０と撮像装置３１と出力装置３２とを備える。サーバ１０は、本発明の一実施の形態による画像処理装置であって、撮像装置３１とは独立して外部に設置されている。サーバ１０は、撮像装置３１および出力装置３２と通信することができる。
【０００９】
撮像装置３１は、被写体を撮像する撮像機能を有する電子機器であって、例えばデジタルカメラや、カメラ付携帯端末などである。出力装置３２は、画像データを、印刷、投影、表示など視覚的に出力する電子機器である。例えば、プリンタ、プロジェクタ、フォトフレーム、テレビジョン、ヘッドマウントディスプレイ、ならびにディスプレイ付きのデジタルカメラ、携帯電話、スマートフォン、およびＰＣなどが出力装置３２に含まれる。以降の説明では、出力装置３２がプリンタであるものとし、プリンタ３２と記載する。
【００１０】
図１に示してあるように、撮像装置３１は、制御部５０と撮像部５１と第１表示部５２ａと第２表示部５２ｂと通信部５３と記憶部５４と操作部５５とＧＰＳモジュール５６と画像処理部５７と画像解析部５８とを備える。なお、図１のブロック図では不図示であるが、撮像部５１の撮像によるＲＡＷ画像データや、ＪＰＥＧ(Ｊｏｉｎｔ Ｐｈｏｔｏｇｒａｐｈｉｃ Ｅｘｐｅｒｔｓ Ｇｒｏｕｐ)の画像データ，サムネイルデータを記録可能な記憶媒体（例えばＳＤカード）を撮像装置３１に着脱可能に設けることができる。
【００１１】
制御部５０は、ＣＰＵなどを備え、記憶部５４に記憶されたプログラムを実行することにより、撮像装置３１の全体の制御を行う。撮像部５１は、撮影光学系、絞り、シャッタ、撮像素子、Ａ／Ｄ変換回路など（いずれも不図示）を有し、被写体像を撮像して所定画素数のＲＡＷ画像データを出力する。以降の説明では、撮像部５１は、２４００万画素（６０００×４０００画素）のＲＡＷ画像データを出力するものとする。
【００１２】
第１表示部５２ａと第２表示部５２ｂは、液晶ディスプレイなどを用いて構成される。第１表示部５２ａと第２表示部５２ｂは、互いに異なる画面を表示可能であって、同時に利用することができる。第１表示部５２ａと第２表示部５２ｂの各仕様に関する情報、例えば総画素数や、表示面積の大きさ、アスペクト比（横縦比）情報などは、記憶部５４に記憶されている。以降の説明では、第１表示部５２ａは総画素数が１９２０×１０８０画素であるものとし、第２表示部５２ｂは総画素数が６４０×４８０画素であるものとする。また、図２（ａ），（ｂ）に図示されているように、第１表示部５２ａの表示面積が第２表示部５２ｂの表示面積よりも大きいものとする。すなわち、本実施形態では、第１表示部５２ａの表示能力が第２表示部５２ｂの表示能力よりも優れているといえる。また、第１表示部５２ａと第２表示部５２ｂとの配置は、例えば、第１表示部５２ａを第２表示部５２ｂの上方としてもよく、下方としてもよく、左右に並ぶような配置としてもよい。
なお、本実施形態においては、第１表示部５２ａと第２表示部５２ｂとを設けているがいずれか一方を省略するような構成を採用してもよい。
また、第１表示部５２ａと第２表示部５２ｂとの少なくとも一方に表示された画像に対して操作を行うタッチパネルを設けるようにしてもよい。
【００１３】
通信部５３は、サーバ１０と通信するものであり、各種の無線通信が適用可能であり、例えばＷｉ−Ｆｉ（登録商標）を用いてもよい。通信部５３は、サーバ１０と直接接続することにしてもよいし、アクセスポイント経由でインターネット接続することにより、サーバ１０との間で通信を行うことにしてもよい。
【００１４】
記憶部５４は、ＲＡＭやＲＯＭなどのメモリによって構成され、例えば制御部５０により実行されるプログラムと、撮像装置３１の各部の仕様に関する情報となどが記憶されている。以降、撮像装置３１の各部の仕様に関する情報のことを仕様データと称する。仕様データには、前述した第１表示部５２ａと第２表示部５２ｂの総画素数、表示面積、アスペクト比に関する情報が含まれる。
【００１５】
操作部５５は、各種の操作ボタンやスイッチ類を有しており、例えばレリーズスイッチや、電源スイッチや、選択スイッチや、ポートレートモード、風景モード、夜景モード、スポーツモードなどの各種モードを設定できるモードスイッチなどが含まれる。ＧＰＳ（Ｇｌｏｂａｌ  Ｐｏｓｉｔｉｏｎｉｎｇ  Ｓｙｓｔｅｍ）モジュール５６は、ＧＰＳ衛星から出力される電波を受信し、撮像装置３１が位置する緯度、経度、および高度を算出して、その算出結果を制御部５０に出力する。
【００１６】
画像処理部５７は、撮像部５１が撮像した画像データの各種処理を行うものであり、第１表示部５２ａまたは第２表示部５２ｂにスルー画を表示するための画像の縮小処理や、サムネイル画像を表示するための処理や等の画像処理を行う。なお、画像処理部５７は、サムネイル画像よりもデータ量が多くＲＡＷ画像データよりもデータ量が小さいＪＰＥＧ画像を生成するための処理を行うことにしてもよい。本実施形態においては、サムネイル画像（第１縮小画像ともいう）を第１表示部５２ａに表示して、スルー画（第２縮小画像ともいう）を第２表示部５２ｂに表示するものとする。画像解析部５８は、撮像部５１が出力したＲＡＷ画像データ等の画像データに対して、種々の画像解析を行う。例えば、画像解析部５８は、撮像画像から主要被写体を抽出する被写体抽出処理、撮像画像に含まれる人の顔の画像を認識する顔認識処理、夜景などのシーンを解析するシーン解析処理などを行う。
【００１７】
図１に示されているように、サーバ１０は、制御部７０と画像処理部７１と通信部７２と記憶部７３とを備える。制御部７０は、ＣＰＵなどを備え、記憶部７３に記憶されたプログラムを実行することにより、サーバ１０の全体の制御を行う。
【００１８】
画像処理部７１は、画像の縮小、色補間処理、階調変換処理、輪郭強調処理、ホワイトバランス調整処理、ぼかし処理などの画像処理を行う。画像処理部７１は、複数のモードを有し、各モードごとにこれらの画像処理を適宜組み合わせて実行する。画像処理部７１のモードには、例えばスタンダードモード、ニュートラルモード、ビビッドモード、モノクロームモード、ポートレートモード、風景モード、水彩画風モードなどが存在する。
【００１９】
画像処理部７１は、ＲＡＷ画像データに対してこれらの画像処理を行って現像画像データ（第３縮小画像ともいう）を生成する。また、画像処理部７１は、現像画像データをサムネイルサイズに縮小した第４縮小画像を生成する。現像画像データは、例えばＥｘｉｆ形式の画像データのように、被写体を撮像したときの日時、シャッタスピード、絞り値、撮影感度、ホワイトバランス、ストロボの有無、ＧＰＳ情報などの付随データ（メタデータ）を付随させることができる。
【００２０】
通信部７２は、撮像装置３１およびプリンタ３２と通信（例えば、無線通信や有線通信）する。記憶部７３は、制御部７０が実行するプログラムを記憶すると共に、画像データベース７３１を記憶している。画像データベース７３１には、ＲＡＷ画像データと、画像処理部７１により画像処理された後の現像画像データとが記憶されている。
【００２１】
図１に示されているように、プリンタ３２は、制御部９０と印刷部９１と通信部９２と記憶部９３と表示部９４と操作部９５とを備える。制御部９０は、ＣＰＵなどを備え、記憶部９３に記憶されたプログラムを実行することにより、プリンタ３２の全体の制御を行う。
【００２２】
印刷部９１は、画像データに応じた画像を、紙などの媒体に印刷する。通信部９２は、サーバ１０と通信（例えば、無線通信や有線通信）する。記憶部９３は、ＲＡＭやＲＯＭなどのメモリによって構成され、制御部９０により実行されるプログラムと、印刷部９１で印刷される画像データと、印刷部９１の仕様に関する情報とを記憶している。印刷部９１の仕様とは、例えば、印刷部９１の解像度、プリンタの制御方式などの情報である。以降、印刷部９１の仕様に関する情報のことを、出力側仕様データと称する。
【００２３】
表示部９４は、プリンタ３２のメニュー画面などを表示する。操作部９５は、各種の操作ボタンやスイッチ類を有しており、例えば電源スイッチ、印刷開始スイッチ、選択スイッチなどを含む。
【００２４】
図２（ａ）および（ｂ）を用いて、撮像装置３１の画像処理部５７が実行する画像の縮小処理について説明する。画像の縮小処理では、撮像装置３１の画像処理部５７は、撮像部５１が出力したＲＡＷ画像データを、第１表示部５２ａや第２表示部５２ｂなどの表示装置に適合するような画像データに縮小する。
【００２５】
図２（ａ）は、第１表示部５２ａに縮小画像２００が表示された状態を示す図である。縮小画像２００は、撮像部５１が出力したＲＡＷ画像データを第１表示部５２ａに適合するように画像処理部５７が縮小した画像である。具体的には、縮小画像２００は、撮像部５１が出力した６０００×４０００画素のＲＡＷ画像データの縦横を、画像処理部５７が０．２７倍に縮小した図である。ここで、０．２７倍とは、ＲＡＷ画像データの縦方向の画素数（４０００画素）と、第１表示部５２ａの縦方向の画素数（１０８０画素）との比である。画像処理部５７がＲＡＷ画像データの横方向の画素数（６０００画素）を０．２７倍したとき、縮小画像２００の横方向の画素数は第１表示部５２ａの横方向の画素数（１９２０画素）よりも小さくなるため、縮小画像２００の左右には画像が表示されない画像領域２０１が配置されている。
【００２６】
図２（ｂ）は、第２表示部５２ｂに縮小画像２１０が表示された状態を示す図である。縮小画像２１０は、撮像部５１が出力したＲＡＷ画像データを第２表示部５２ｂに適合するように画像処理部５７が縮小した画像である。具体的には、縮小画像２１０は、撮像部５１が出力した６０００×４０００画素のＲＡＷ画像データの縦横を、画像処理部５７が０．１０７倍に縮小した図である。ここで、０．１０７倍とは、ＲＡＷ画像データの横方向の画素数（６０００画素）と、第２表示部５２ｂの横方向の画素数（６４０画素）との比である。画像処理部５７がＲＡＷ画像データの縦方向の画素数（４０００画素）を０．１０７倍したとき、縮小画像２００の縦方向の画素数は第２表示部５２ｂの縦方向の画素数（１０８０画素）よりも小さくなるため、縮小画像２００の上下には画像が表示されない画像領域２１１が配置されている。
【００２７】
ＲＡＷ画像データの縦方向と横方向のどちらを表示装置に適合させるかは、表示装置のアスペクト比（横縦比）により決定される。第１表示部５２ａのようにＲＡＷ画像データよりも横長の表示装置に表示するときはＲＡＷ画像データの縦方向を表示装置に適合させ、第２表示部５２ｂのようにＲＡＷ画像データよりも縦長の表示装置に表示するときはＲＡＷ画像データの横方向を表示装置に適合させる。
【００２８】
サーバ１０の画像処理部７１も、撮像装置３１の第１表示部５２ａおよび第２表示部５２ｂの総画素数を含む仕様データを、撮像装置３１から取得した上で、撮像装置３１の画像処理部５７と同様の縮小処理を実行することができる。
【００２９】
図３は、撮像装置３１とサーバ１０とによって実行される画像処理システム１００の動作シーケンス図である。図３の動作シーケンス図では、撮像装置３１の撮像部５１からＲＡＷ画像データが生成された後のシーケンスが図示されている。撮像装置３１の各動作は、撮像装置３１の制御部５０の制御のもと実行される。サーバ１０の各動作は、サーバ１０の制御部７０の制御のもと実行される。
【００３０】
ステップＳ２００では、撮像装置３１は、生成したＲＡＷ画像データをサーバ１０へ送信する。サーバ１０は、ＲＡＷ画像データを受信して、そのＲＡＷ画像データを画像データベース７３１に記憶する。なお、撮像装置３１の制御部５０は、サーバ１０にＲＡＷ画像データを送信した後に、不図示の記憶媒体に記憶していたＲＡＷ画像データを削除するようにしてもよい。いずれにしても、サーバ１０へＲＡＷ画像データを送信することにより、サーバ１０経由でさまざまな出力装置にこのＲＡＷ画像データに基づいた出力を行うことができるようになる。
ステップＳ２０１では、撮像装置３１は、ＲＡＷ画像データを、画像解析部５８に入力して画像解析を行うことにより、主要被写体の抽出結果、顔画像の認識結果などに関する情報を取得する。
【００３１】
ステップＳ２０２では、撮像装置３１は、ＲＡＷ画像データを生成したときの撮影条件に関する情報と、ステップＳ２０１で取得された画像解析の結果に関する情報と、仕様データとを、サーバ１０へ送信する。撮影条件とは、例えばシャッタスピード、絞り値、撮影感度、ホワイトバランス、ストロボの有無、ＧＰＳ情報、顔認識情報、撮影モードなどであって、Ｅｘｉｆ形式の画像データの付随データとして登録される情報である。
また、本実施形態のように複数の表示部を有している場合には、仕様データには、複数の表示部のそれぞれの仕様が含まれている。なお、撮像装置３１は、サーバ１０で生成した画像を１つの表示部（例えば、第２表示部５２ｂ）で表示することが決まっていたり、表示性能のよい表示部（第１表示部５２ａ）に合わせたりする場合には、いずれか１つの表示部の仕様をサーバ１０に送付すればよい。なお、制御部５０による仕様データおよび撮影条件の送信はステップＳ２００のタイミングで行うようにしてもよい。
【００３２】
ステップＳ２０３では、撮像装置３１は、ＲＡＷ画像データを画像処理部５７に入力して、第１表示部５２ａに適合するように画像データを縮小したサムネイル画像である第１縮小画像を生成する。
ステップＳ２０４では、撮像装置３１は、第１表示部５２ａに第１縮小画像を表示して、第２表示部５２ｂにサーバ１０の画像処理部７１のモードを設定するためのモード設定画面を表示する。
【００３３】
モード設定画面には、例えば、おまかせモード、スタンダードモード、ニュートラルモード、ビビッドモード、モノクロームモード、ポートレートモード、風景モード、水彩画風モードなど、サーバ１０の画像処理部７１のモードが一覧表示される。ユーザは、第１表示部５２ａに表示された第１縮小画像を見ながら第２表示部５２ｂに表示されたこれらのモードの中から少なくとも一つを選択する。なお、おまかせモードとは、スタンダードモード、ニュートラルモード、ビビッドモード、モノクロームモード、ポートレートモード、風景モード、水彩画風モードなどの中から撮像装置３１またはサーバ１０の制御部が最適なモードを選択するモードである。
【００３４】
ステップＳ２０５では、撮像装置３１は、ユーザが選択したモードに関する情報をサーバ１０へ送信する。以降、ステップＳ２０５でサーバ１０へ送信する情報のことをリクエスト情報と称する。サーバ１０は、そのリクエスト情報を受信する。
【００３５】
ステップＳ２０６では、サーバ１０は、ステップＳ２０５で受信したリクエスト情報により指定された画像処理を、ステップＳ２００で受信したＲＡＷ画像データに対して適用して、現像画像データ（第３縮小画像）を生成する。例えば、リクエスト情報として水彩画風モードが選択された場合、サーバ１０は、ＲＡＷ画像データに対して水彩画風モードの画像処理を適用して水彩画風の現像画像データを生成する。ユーザが複数のモードを選択していた場合は、選択されたモードごとに現像画像データを生成する。現像画像データは、Ｅｘｉｆ形式の画像データとして生成され、ステップＳ２０２で受信した撮影条件に関する情報などが付随データとして付随される。生成された現像画像データは、モードに関する情報と共に画像データベース７３１に記憶される。
【００３６】
ステップＳ２０７では、サーバ１０は、ステップＳ２０２で受信した仕様データに基づいて各現像画像データのサムネイル画像である第４縮小画像データを生成する。本実施形態において、第４縮小画像データが撮像装置３１の第１表示部５２ａに表示されるのであれば、サーバ１０は、各現像画像データを、第１表示部５２ａの表示性能に適合させて、第４縮小画像データを生成する。なお、第４縮小画像データが撮像装置３１の第１表示部５２ａおよび第２表示部５２ｂに表示される場合に、サーバ１０は、第１表示部５２ａ、第２表示部５２ｂのそれぞれの表示性能に応じて２種類の第４縮小画像を生成してもよく、表示性能の優れた第１表示部５２ａの表示性能に応じて第４縮小画像を生成してもよい。
【００３７】
ステップＳ２０８では、サーバ１０は、現像画像データと第４縮小画像データとを撮像装置３１へ送信する。撮像装置３１は、それらの現像画像データと第４縮小画像データとを受信して、不図示の記憶媒体に記憶する。
ステップＳ２０９では、撮像装置３１は、ステップＳ２０８で受信した第４縮小画像データに基づいて、例えば複数の第４縮小画像を第２表示部５２ｂに表示する。撮像装置３１は、タッチパネルへのタッチにより選択された第４縮小画像に対応する現像画像データに基づいて第３縮小画像を第１表示部５２ａに表示する。
【００３８】
第３縮小画像を確認したユーザは、ユーザ自身が期待していた画像を得られなかった場合、撮像装置３１に対して所定の操作を行うことにより、モード選択画面を再び第２表示部５２ｂに表示させる。ユーザは、そのモード選択画面に対して、再びモードの選択を行う。また、撮像装置３１の制御部５０は、サーバ１０が生成したサムネイル画像データである第４縮小画像データを不図示の記憶媒体に記憶しているので、画像処理部５７で生成したサムネイル画像データである第１縮小画像データを削除してもよい。
【００３９】
図４は、プリンタ３２とサーバ１０とによって実行される画像処理システム１００の動作シーケンス図である。図４の動作シーケンス図では、プリンタ３２とサーバ１０とが通信を開始した後のシーケンスが図示されている。プリンタ３２の各動作は、プリンタ３２の制御部９０の制御のもと実行される。サーバ１０の各動作は、サーバ１０の制御部７０の制御のもと実行される。
【００４０】
ステップＳ３００では、プリンタ３２は、サーバ１０の記憶部７３の画像データベース７３１に記憶されている画像データについて、情報の転送を要求するコマンドを、サーバ１０へ送信する。サーバ１０は、そのコマンドを受信する。
【００４１】
ステップＳ３０１では、サーバ１０は、ステップＳ３００で受信したコマンドに応じて、画像データベース７３１に記憶されている画像データに関する情報を送信する。サーバ１０は、例えば、画像データベース７３１に記憶されているＲＡＷ画像データや現像画像データのファイル名と、ＲＡＷ画像データに関する日時情報と、現像画像データを生成する際に用いられた画像処理モードに関する情報とを一覧表示するための情報をプリンタ３２へ送信する。
【００４２】
ステップＳ３０２では、サーバ１０は、ステップＳ３０１で受信した画像データベース７３１に記憶されている画像データに関する情報に基づいて、画像データに関する情報の一覧を、プリンタ３２の表示部９４に表示する。例えば、画像データベース７３１に記憶されているＲＡＷ画像データや現像画像データのファイル名と、ＲＡＷ画像データに関する日時情報と、現像画像データを生成する際に用いられたモードに関する情報とが表示部９４に一覧表示される。
【００４３】
プリンタ３２の操作者は、表示部９４に一覧表示された画像データの中から印刷したい画像データを、操作部９５を用いて選択する。ステップＳ３０３では、プリンタ３２は、選択された画像データに関する情報と、印刷部９１の仕様に関する出力側仕様データをサーバ１０へ送信する。サーバ１０は、操作者が選択した画像データに関する情報と、印刷部９１の仕様に関する出力側仕様データとを受信する。
【００４４】
ステップＳ３０４では、サーバ１０は、印刷部９１の出力側仕様データに基づいて、操作者が選択した画像データを、印刷部９１で印刷可能なサイズとデータ形式に変換して、出力用画像を生成する。
【００４５】
ステップＳ３０５では、サーバ１０は、ステップＳ３０４で生成した出力用画像データをプリンタ３２に送信する。プリンタ３２は、出力用画像データを受信する。
ステップＳ３０６では、プリンタ３２は、ステップＳ３０５で受信した出力用画像データに基づいて、印刷部９１により画像を印刷する。
【００４６】
以上説明した実施の形態によれば、次のような作用効果を奏する。
撮像装置３１は、ＲＡＷ画像データだけでなく、仕様データを送信するため、撮像装置３１の表示部９４の仕様に適合した画像データを、サーバ１０に生成させることができる。
【００４７】
以上で説明した実施の形態は、以下のように変形して実施できる。
（変形例１）
撮像装置３１がサーバ１０へ送信するデータをＲＡＷ画像データに代えてＪＰＥＧデータにしてもよい。この場合、サーバ１０は、ＪＰＥＧデータを例えば輝度信号Ｙと、２つの色差信号を使って色空間を表現するＹＣｂＣｒに変換したのちに現像画像データを生成するようにすればいい。このように、撮像装置３１から送信する画像データをＪＰＥＧデータにすることにより、送信するデータ量がＲＡＷ画像データに比べて減るので送信時間を短縮することができ、撮像装置３１の送信処理を軽減することができる。
（変形例２）
第１表示部５２ａは、撮像装置３１から分離して設けるようにしてもよく、例えば、第１表示部５２ａを携帯電話、スマートフォン、タブレット式端末、パソコン、テレビなどの表示部とし、撮像装置３１との無線通信などにより分離してもうけられた第１表示部５２ａによりスルー画を視認したり、サーバ１０で生成した画像データ（静止画、動画）を視認するようにしてもよい。
（変形例３）
図３のステップＳ２０２において、撮像装置３１は、ＲＡＷ画像データを生成したときの撮影条件に関する情報と、ステップＳ２０１で取得された画像解析の結果に関する情報と、第２表示部５２ｂの総画素数などの仕様データとを、サーバ１０へ送信することにした。しかし、ステップＳ２０２において、撮像装置３１がサーバ１０へ送信する情報は、これらだけに限定されない。例えば、撮像装置３１の周囲の気温、撮像装置３１の周辺の音声、被写体を照らす光源など、撮像環境に関する情報を、さらにサーバ１０へ送信することにしてもよい。この場合、サーバ１０は、周囲の温度が高ければ温かみのある画作りとしたり、周囲の温度が低ければ寒そうな画作りを行うようにしてもよい。また、サーバは、音声から人が多くいるようなパーティ会場と判断した場合には、色を強調した派手な画作りとしてもよい。
【００４８】
（変形例４）
撮像装置３１は、連続撮影機能を有していてもよい。撮像装置３１を用いて連続撮影を行った場合、連続撮影が完了した後に図３のシーケンスの処理を開始することにしてもよい。なお、連続撮影によりＲＡＷ画像データが複数得られた場合は、ステップＳ２００においてそれらのＲＡＷ画像データやＪＰＥＧ画像データをすべてサーバ１０へ送信することにしてもよく、例えば、顔認識処理の結果に基づいて選択された画像をサーバ１０へ送信するようにしてもよい。
【００４９】
（変形例５）
本実施の形態は、ＲＡＷ画像データや現像画像データを記録する不揮発性の記録媒体を備えない撮像装置に対しても適用することができる。
【００５０】
以上で説明した実施の形態や変形例はあくまで例示に過ぎず、発明の特徴が損なわれない限り本発明はこれらの内容に限定されない。また、以上で説明した実施の形態や変形例は発明の特徴が損なわれない限り組み合わせて実行してもよい。
【符号の説明】
【００５１】
１０  サーバ
３１  撮像装置
３２  出力装置
５１  撮像部
５２ａ  第１表示部
５２ｂ  第２表示部
５３  通信部
７０  制御部
７１  画像処理部
７２  通信部
７３  記憶部
１００  画像処理システム
【図１】
2014158102.tif 000003
【図２】
2014158102.tif 000004
【図３】
2014158102.tif 000005
【図４】
2014158102.tif 000006